(57)【要約】【課題】  自動原稿送り装置において、分離パッドの交換時期が告知されるようにすることである。【解決手段】  自動原稿搬送装置１００の分離部９を構成する分離パッド８が取り付けられるパッドホルダ１８の端部にセンサ受光部２６を設けるとともに、パッドホルダ１８から所定距離だけ離れた基準面２３に、センサ２７を取り付ける。センサ２７からパッドホルダ１８のセンサ受光部２６に向かってレーザ光２８を照射し、基準面２３からパッドホルダ１８までの距離Ｌを常に監視する。分離パッド８が摩耗することによって距離Ｌが変化し、その摩耗量ｅ１，ｅ２が対応する閾値に達したときに、分離パッド８が摩耗した旨の警告を発する。【選択図】  図４
2010064879.tif 000002
【特許請求の範囲】
【請求項１】
原稿テーブルに載置された原稿束のうち、最上段の原稿を下流側に送出しながら原稿読取位置でその画像を読み取るための自動原稿搬送装置であって、
前記原稿テーブルの下流側には、該原稿テーブルに載置された原稿束の最上段の原稿とそれ以外の原稿とを分離して、前記最上段の原稿のみを送出する分離手段が設けられ、
前記分離手段は、原稿を送出する方向に回転自在な給紙ローラと、該給紙ローラから一定距離だけ離れた基準面から押圧手段をもって前記給紙ローラの外周面に弾性押圧される分離パッドと、前記基準面と前記分離パッドとの間の距離を計測するセンサと、を備え、
前記センサによって計測された距離が、予め設定された閾値に達したときに、前記分離パッドが摩耗した旨の警告を発することを特徴とする自動原稿搬送装置。
【請求項２】
前記基準面と前記分離パッドとの間の距離の閾値を２段階に設け、
前記センサによって計測された距離が第１閾値に達したときに前記分離パッドの交換時期が近づいている旨の警告を発し、第２閾値に達したときに前記分離パッドの交換を促す旨の警告を発することを特徴とする請求項１に記載の自動原稿搬送装置。
【請求項３】
前記原稿テーブルから送出された原稿の枚数をカウントするカウンタが設けられ、前記カウンタによってカウントされた通紙枚数が予め設定された枚数に到達したときに、前記分離パッドの交換を促す旨の警告を発することを特徴とする請求項１に記載の自動原稿搬送装置。
【請求項４】
前記分離パッドの交換を促す旨の警告が発せられたときに、前記原稿テーブルに載置された原稿の搬送を停止することを特徴とする請求項２又は３に記載の自動原稿搬送装置。
【請求項５】
前記分離パッドはパッドホルダに着脱自在に装着されていて、その一方側の面が摩耗したときに、他方側の面を前記給紙ローラの外周面に向けて配置させることができるようにされていることを特徴とする請求項１ないし４のいずれか１項に記載の自動原稿搬送装置。
【請求項６】
前記分離パッドが摩耗しても、前記給紙ローラとの間に進入した複数枚の原稿を分離して、最上段の原稿のみを送出できるときの摩耗量の最大値を最大摩耗量とすると、前記分離パッドの厚みは、前記最大摩耗量の２倍よりも大きいことを特徴とする請求項５に記載の自動原稿搬送装置。
【請求項７】
前記分離パッドは前記パッドホルダの一方側の面と他方側の面のそれぞれに対称形状で装着され、
前記パッドホルダを反転することにより、前記分離パッドの双方の面を前記給紙ローラの外周面に弾性押圧できるようにされていることを特徴とする請求項１ないし６のいずれか１項に記載の自動原稿搬送装置。
【請求項８】
前記分離パッドは、その一端部に設けられた回動支点を中心に回動する形で前記給紙ローラの外周面に弾性押圧され、
前記センサは、前記基準面と前記分離パッドの他端部との間の距離を計測することを特徴とする請求項１ないし７のいずれか１項に記載の自動原稿搬送装置。
【請求項９】
前記センサにより、前記分離パッドの配置の可否が判断されることを特徴とする請求項１ないし８のいずれか１項に記載の自動原稿搬送装置。
【請求項１０】
前記センサにより、前記分離パッドの配置が否と判断されたとき、前記原稿テーブルに載置された原稿の搬送を停止することを特徴とする請求項９に記載の自動原稿搬送装置。
【発明の詳細な説明】
【技術分野】
【０００１】
本発明は、複写装置、ファクシミリ装置、スキャナ装置等の画像読取装置に搭載される自動原稿搬送装置に関するものである。
【背景技術】
【０００２】
複写機、ファクシミリ装置等の画像読取装置に搭載される自動原稿搬送装置は、原稿テーブルに載置された原稿束のうち、最上段の原稿を下流側に送出しながら原稿読取位置でその画像を読み取った後、当該原稿を原稿排紙トレイにスタックしたり、前記別の原稿面の画像を読み取るために該原稿を反転させて再び原稿読取位置に送出したりする機能を有している（例えば、特許文献１を参照）。従来の自動原稿搬送装置では、原稿テーブルに載置された最上段の原稿を含む数枚分の原稿を重ねて送出し、給紙部材（給紙ローラ）と分離部材（分離パッド）との間の部分（ニップ部）に進入したときに、最上段の原稿とその直下段の原稿との間に作用する摩擦力よりも、直下段の原稿と分離パッドとの間で作用する摩擦力を大きくすることにより、最上段の原稿のみを分離して送出している。このため、分離パッドが早期に摩耗してしまっている。
【０００３】
摩耗したままの分離パッドを使用すると、一度に複数枚の原稿が送出されたり（重送）、原稿がからまって（ジャム）紙詰りしたりするという不具合が発生し易くなる。
【０００４】
上記した不具合を回避するため、定期的に分離パッドを交換することが望ましい。この交換を容易にする技術として、例えば特許文献２に開示されるものが存している。しかし、自動原稿搬送装置の使用頻度は、搭載される画像読取装置において異なっており、分離パッドの交換時期を一律に設定することは困難である。また、分離パッドは、自動原稿搬送装置に内装されて視認困難であるため、目視により摩耗量を視認することも困難である。
【特許文献１】特開平１１−２１７１２６号公報
【特許文献２】特開２００２−１４５４７２号公報
【発明の開示】
【発明が解決しようとする課題】
【０００５】
本発明は、上記した不具合に鑑み、自動原稿搬送装置において、分離パッドの交換時期が告知されるようにすることを課題としている。 
【課題を解決するための手段及び発明の効果】
【０００６】
上記した課題を解決するための本発明は、
原稿テーブルに載置された原稿束のうち、最上段の原稿を下流側に送出しながら原稿読取位置でその画像を読み取るための自動原稿搬送装置であって、
前記原稿テーブルの下流側には、該原稿テーブルに載置された原稿束の最上段の原稿とそれ以外の原稿とを分離して、前記最上段の原稿のみを送出する分離手段が設けられ、
前記分離手段は、原稿を送出する方向に回転自在な給紙ローラと、該給紙ローラから一定距離だけ離れた基準面から押圧手段をもって前記給紙ローラの外周面に弾性押圧される分離パッドと、前記基準面と前記分離パッドとの間の距離を計測するセンサと、を備え、
前記センサによって計測された距離が、予め設定された閾値に達したときに、前記分離パッドが摩耗した旨の警告を発することを特徴としている。
【０００７】
本発明に係る自動原稿搬送装置は、上記したように構成されていて、基準面に取り付けられたセンサが、基準面と分離パッドが取り付けられるパッドホルダとの距離を計測している。この距離を計測することにより、分離パッドの摩耗量が常に監視されている。そして、基準面とパッドホルダとの距離が予め設定された閾値に達すると、分離パッドが摩耗した旨の警告が発せられる。本発明は、直接には計測しにくい分離パッドの摩耗量を、容易に計測できる基準面とパッドホルダとの距離を計測することにより監視している。これにより、分離パッドの交換時期を的確に使用者に告知できるため、分離パッドの摩耗に伴って発生する重送やジャム党の不具合が発生しにくくなる。
【０００８】
前記基準面と前記分離パッドとの間の距離の閾値を２段階に設け、前記センサによって計測された距離が第１閾値に達したときに前記分離パッドの交換時期が近づいている旨の警告を発し、第２閾値に達したときに前記分離パッドの交換を促す旨の警告を発するようにしてもよい。
【０００９】
これにより、使用者に、きめ細かい告知をすることができる。
【００１０】
前記分離パッドはパッドホルダに着脱自在に装着されていて、その一方側の面が摩耗したときに、他方側の面を前記給紙ローラの外周面に向けて配置させることができるようにすることができる。
【００１１】
これにより、分離パッドの両面を使用できるため、分離パッドの寿命が長くなる。
【００１２】
前記分離パッドは、その一端部に設けられた回動支点を中心に回動する形で前記給紙ローラの外周面に弾性押圧され、
前記センサは、前記基準面と前記分離パッドの他端部との間の距離を計測するようにされていることが望ましい。
【００１３】
これにより、分離パッドが摩耗したときに、センサで計測される距離の変位が大きくなるため、分離パッドの摩耗量を高精度に監視できる。
【発明を実施するための最良の形態】
【００１４】
本発明の実施例について説明する。図１は自動原稿搬送装置１００の全体構成を示す図、図２は非作動状態における自動原稿搬送装置１００の要部の拡大図、図３は作動状態における自動原稿搬送装置１００の要部の拡大図、図４は分離部９の拡大図である。
【実施例１】
【００１５】
本明細書では、画像読取装置（例えば、複写装置）に搭載された自動原稿搬送装置１００の場合について説明する。自動原稿搬送装置１００は、「ＡＤＦ（Auto Document Feeder）」と称されている。
【００１６】
最初に、自動原稿搬送装置１００の概略の構成と、原稿１の片面を読み取る場合の作用について説明する。図１ないし図３に示されるように、自動原稿搬送装置１００の原稿テーブル２には、多数枚の原稿１が積み重ねられて形成された原稿束が載置されている。原稿テーブル２の直前方（直下流側）には、原稿テーブル２の先端部と連続して配置される案内板３が取り付けられている。案内板３の前部は凹状に湾曲して、湾曲部３ａが形成されている。また、案内板３の下方には、原稿ストッパ４が取り付けられている。原稿ストッパ４は回動支点４ａを中心に回動自在であり、通常の状態（画像読取装置のオフ状態）で、案内板３の切欠部３ｂから上方に突出している。そして、案内板３の上方には、原稿束を押圧し、その最上段の原稿１のみを下流側に送出するための呼出ローラ５が設けられている。なお、図１において６は、第１コンタクトガラス（自動原稿搬送装置１００を使用しないときに、原稿１が設置されるガラス面）である。
【００１７】
使用者により、原稿テーブル２に傾斜状態で載置された原稿束は自重で滑り、案内板３に至って配置される。このとき、原稿束の先端部は、案内板３の切欠部３ｂから突出した原稿ストッパ４に当接して停止する。これにより、原稿束の先端部が揃えられる。
【００１８】
使用者が画像読取装置の起動スイッチ（図示せず）をオンにすると、図３に示されるように、原稿ストッパ４が回動中心４ａを支点として反時計回りの方向に回動し、その先端部が案内板３から退避する。これにより、原稿束が自重によって滑り、更に下流側に移動する。案内板３の前部に湾曲部３ａが形成されているため、原稿束の上部に配置されている原稿１ほど、前方（下流側）に配置される。
【００１９】
続いて、呼出ローラ５が下降して、最上段の原稿１を押圧する。この呼出ローラ５は、回動支点５ａを中心に回動することによって下降する。この状態で呼出ローラ５が時計回りの方向に回転し、最上段の原稿１のみを原稿束から分離して下流側に送出する。
【００２０】
案内板３の直下流側には、給紙ローラ７と分離パッド８とを備える分離部９が設けられている。呼出ローラ５によって送出された最上段の原稿１は、呼出ローラ５の下流側に配置された給紙ローラ７と分離パッド８に挟み込まれて更に下流側に送出される。もし、呼出ローラ５によって複数枚の原稿１が呼び出された場合であっても、給紙ローラ７と分離パッド８との分離作用により、最上段の原稿１のみが下流側に送出される（後述）。
【００２１】
そして、プルアウトローラ１０の直前に配置されたプルアウトセンサ（図示せず）により、送出される原稿１の先端部が検知されると、所定時間後に呼出ローラ５が上昇し、給紙ローラ７を駆動する給紙モータ（図示せず）の回転が停止する。原稿１は、プルアウトローラ１０と搬送ローラ１１とにより、第２コンタクトガラス１２と対向ガイド板１３とから成る読取部１４へと搬送される。搬送されながら読取部１４で画像を読み取られた原稿１は、搬送ローラ１１と排紙ローラ１５とにより、排紙トレイ１６へ排出される。
【００２２】
次に、原稿１の両面を読み取る場合について説明する。本実施例の自動原稿搬送装置１００では、原稿束から分離して送出された原稿１の第１画像面のみを読み取る場合（片面読み）と、原稿１の第１画像面と第２画像面の双方を読み取る場合（両面読み）のいずれかを、使用者が選択して設定できるようになっている。原稿１の片面読みの場合、読取部１４の第２コンタクトガラス１２で画像情報を読み取られた原稿１は、搬送ローラ１１及び排紙ローラ１５により送出され、排紙トレイ１６に排出される。このとき、切換爪１７は、図１に実線で示されるように、ばね（図示せず）によって上方に配置されている。排紙ローラ１５によって送出された原稿１は、切換爪１７の下方を通って排紙トレイ１６に排出される。
【００２３】
原稿１の両面読みの場合、切換爪１７が回動して、排紙トレイ１６への通路を閉塞する。排紙ローラ１５によって送出された原稿１は、切換爪１７の上方を通ってスイッチバックローラ（図示せず）のニップ部に進入する。原稿１は、スイッチバックローラによってスイッチバックする形で第２画像面を上側にして、プルアウトローラ１０のニップ部に再度進入し、その第２画像面が読取部１４に進入する。第２画像面が読み取られた原稿１は、搬送ローラ１１及び排紙ローラ１５により、排紙トレイ１６に排出される。このとき、切換爪１７は逆方向に回動し、原位置に復帰している。
【００２４】
次に、本実施例の自動原稿搬送装置１００の特徴部分である分離部９について詳細に説明する。前述したように、案内板３に支持され、原稿ストッパ４によって原稿束の原稿１の先端部が揃えられる。図３に示されるように、原稿ストッパ４が下方に回動して原稿１の拘束が解除されると、原稿１は自重によって滑り、案内板３の湾曲部３ａに至る。そして、呼出ローラ５が下降しながら回転し、原稿束を押圧しながら最上段の原稿１を下流側に送出する。これにより、最上段の原稿１は、給紙ローラ７と分離パッド８との間（ニップ部）に進入する。
【００２５】
図４に示されるように、この分離パッド８は平板形状で、給紙ローラ７よりも軟質の材料（例えばゴム材）より成る。分離パッド８は、給紙ローラ７の下方に設けられたパッドホルダ１８に、水平方向に対して下流側の端部が上流側の端部よりも高くなるように、少し傾いて取り付けられている。パッドホルダ１８における案内板３側の端部には、分離パッド８を位置決めするための縁部１９と、円柱状の突起部２１が設けられている。また、分離パッド８における上流側の端部には、パッドホルダ１８の突起部２１が嵌合される嵌合孔２２が設けられている。分離パッド８は、その上流側の端面をパッドホルダ１８の縁部１９に当接させ、かつその嵌合孔２２をパッドホルダ１８の突起部２１に嵌合させることにより、パッドホルダ１８に対してずれ止めが図られた状態でパッドホルダ１８に取り付けられる。
【００２６】
そして、パッドホルダ１８の底面部と、該底面部から所定距離だけ離れて設けられた基準面２３との間に圧縮ばね２４が弾装されている。パッドホルダ１８は、上流側に設けられた回動支点２５を中心に回動自在であり、圧縮ばね２４の付勢力（弾性復元力）によってその上面８ａ（給紙ローラ７との当接面）を常に、給紙ローラ７の外周面に押圧させている。
【００２７】
パッドホルダ１８の下流側（回動支点２５よりも遠い側）の端部には、センサ受光部２６が設けられている。このセンサ２７は、例えばレーザ距離センサであり、センサ受光部２６に向けてレーザ光２８を照射することにより、基準面２３からセンサ受光部２６までの距離Ｌを計測することができる。後述するように、分離パッド８の上面８ａが摩耗すると、パッドホルダ１８が回動支点２５を中心に時計周りの方向に回動するため、センサ２７からセンサ受光部２６までの距離が変化する。これにより、分離パッド８の摩耗が検出される。センサ受光部２６が、パッドホルダ１８の回動支点２５から遠い位置に設けられているため、パッドホルダ１８が回動したときの変位が大きくなる。この結果、分離パッド８の摩耗を確実に検出することができる。
【００２８】
本実施例の自動原稿搬送装置１００の作用（特に、分離部９において、分離パッド８が原稿１を分離するときの作用）について説明する。図２及び図３に示されるように、束状に積載された原稿１を堰き止めていた原稿ストッパ４が下方に回動されると、原稿１は自重によって滑り、案内板３の湾曲部３ｂによって堰き止められる。このとき、上段の原稿１の先端部ほど下流側に配置される。続いて、呼出ローラ５が回転しながら下降し、最上段の原稿１を押圧しながら下流側に送出する。これにより、最上段の原稿１のみが原稿束から分離して送出され、給紙ローラ７と分離パッド８の間（ニップ部）に進入する。
【００２９】
ここで、給紙ローラ７の外周面と原稿１の表面（上面）との間に作用する摩擦力Ｆ１は、原稿１の裏面（下面）と分離パッド８の上面８ａとの間に作用する摩擦力Ｆ２よりも大である（Ｆ１＞Ｆ２）。これにより、給紙ローラ７と分離パッド８とのニップ部に進入した原稿１が、更に下流に送出される。
【００３０】
もし、図５に示されるように、複数枚の原稿１（例えば、最上段の原稿１ａと、その直下段の原稿１ｂ）が進入した場合について説明する。このとき、給紙ローラ７の外周面と最上段の原稿１ａの表面との間に作用する摩擦力Ｆ１が、原稿１ａ，１ｂどうしの間に作用する摩擦力Ｆ３及び直下段の原稿１ｂの裏面と分離パッド８の上面８ａとの間に作用する摩擦力Ｆ２よりも大（Ｆ１＞Ｆ３，Ｆ１＞Ｆ２）で、かつ原稿１ａ，１ｂどうしの間に作用する摩擦力Ｆ３が、直下段の原稿１ｂの裏面と分離パッド８の上面８ａとの間に作用する摩擦力Ｆ２よりも小（Ｆ３＜Ｆ２）であれば（即ち、Ｆ１＞Ｆ２＞Ｆ３）、最上段の原稿１ａのみが下流側に送出される。換言すれば、最上段の原稿１ａと直下段の原稿１ｂとが分離されて、最上段の原稿１ａのみが下流側に送出される。
【００３１】
長期間の使用により、分離パッド８の上面８ａが摩耗し、上記の関係が成立しなくなると、重送やジャムが発生し易くなる。なお、分離パッド８は、給紙ローラ７よりも軟質の材料より成るため、給紙ローラ７よりも分離パッド８の方が先に摩耗する。
【００３２】
これを防止するため、本実施例の自動原稿搬送装置１００では、分離パッド８の摩耗量を監視している。即ち、図４に示されるように、基準面２３に取り付けられたセンサ２７から照射され、パッドホルダ１８のセンサ受光部２６に入射するレーザ光２８により、基準面２３からパッドホルダ１８までの距離Ｌが計測される。図６に示されるように、分離パッド８の上面８ａが摩耗し始めると、パッドホルダ１８は圧縮ばね２４に付勢され、その回動支点２５を中心に時計周りの方向に回動する。分離パッド８の上面８ａの初期摩耗量ｅ１が大きくなるにつれ、基準面２３からパッドホルダ１８までの距離Ｌ１も徐々に大きくなる（Ｌ１＞Ｌ）。このとき、警告が発せられ、所定の表示手段（例えば、自動原稿搬送装置１００が搭載された画像読取装置のスイッチパネル）に、「分離パッドが摩耗しています」と表示される。
【００３３】
そして、図７に示されるように、分離パッド８の上面８ａの摩耗量（最大摩耗量ｅ２）が大きくなり（換言すれば、基準面２３からパッドホルダ１８までの距離Ｌ２が更に大きくなり）、分離パッド８の上面８ａに大きな凹部２９が形成されて、自動原稿搬送装置１００の分離部９で重送やジャムが頻繁に発生するようになると、更に警告が発せられ、所定の表示手段に、「分離パッドの交換が必要です」と表示される。
【００３４】
次に、分離パッド８を交換するときの作用について説明する。図８に示されるように、本実施例の分離パッド８は平板形状であり、上流側の端面をパッドホルダ１８の縁部１９に当接させ、かつ嵌合孔２２を突起部２１に嵌合させることにより、パッドホルダ１８にずれ止め状態で取り付けられる。このため、表面（上面８ａ）が摩耗して凹部２９が形成された分離パッド８であっても、その上下を反転させ、裏面（下面８ｂ）を上側にして再度パッドホルダ１８に取り付けて使用することができる。この場合、分離パッド８の厚みＷは、最大摩耗量ｅ２の２倍よりも大きくすることが望ましい。これにより、裏面の使用中に分離パッド８の凹部２９が貫通して、分離パッド８の分離能力が急激に低下したり、分離パッド８が折損して周辺装置に多大な損傷を及ぼしたりすることを防止できる。
【００３５】
また、分離パッド８を交換したときに、パッドホルダ１８が誤って（例えば、斜め）にセットされてしまうことも想定される。この場合、自動原稿搬送装置１００の分離部９での給紙作用及び分離作用が損なわれてしまう。このため、センサ２７から照射されたレーザ光２８がセンサ受光部２６に入射しているか否かを検出することにより、交換後のパッドホルダ１８が正常にセットされているか否かを検知してもよい。
【００３６】
なお、パッドホルダ１８の底面部にも分離パッド８を取り付け、上側の分離パッド８が摩耗したときに、パッドホルダ１８を反転させ、下側の分離パッド８を使用するようにしてもよい。
【００３７】
分離パッド８の各閾値（初期摩耗量ｅ１及び最大摩耗量ｅ２）は、分離パッド８の耐久試験を行うことにより求めることができる。これにより、例えば、「摩耗量が○○ｍｍ（初期摩耗量ｅ１）に達したときに重送やジャムが発生し初め、××ｍｍ（最大摩耗量ｅ２）に達したときに重送やジャムが頻繁に発生する。」という形で初期摩耗量ｅ１と最大摩耗量ｅ２を求めることができる。そして、この値を、予め自動原稿搬送装置１００の制御装置にプログラムさせておくことにより、所定の警告を発することができる。
【００３８】
上記した各閾値（初期摩耗量ｅ１及び最大摩耗量ｅ２）は、自動原稿搬送装置１００の使用状況（例えば、送出される原稿１の紙質や厚み）によっても変化するので、自動原稿搬送装置１００に対して一律に設定することは困難である。このため、自動原稿搬送装置１００に、送出した原稿１の枚数（通紙枚数）をカウントするためのカウンタ（図示せず）を設けてもよい。このときの各閾値は、「通紙枚数が○○枚で初期摩耗量ｅ１に達し、通紙枚数が××枚で最大摩耗量ｅ２に達する。」との形で求められる。そして、センサ２７による距離の計測と、カウンタによる通紙枚数の計測とを併用し、いずれかの計測値が閾値に達したときに、所定の警告を発するようにしてもよい。
【００３９】
センサ２７又はカウンタにより、分離パッド８の摩耗が最大摩耗量ｅ２に達したと判断された場合、自動原稿搬送装置１００の動作をいったん停止するようにしてもよい。これにより、重送やジャムが発生することを強制的に回避できる。この場合であっても、通常の画像読取動作（自動原稿搬送装置１００を使用せず、原稿１を第１コンタクトガラス６にセットして読み取る動作）を行うことはできるため、画像読取装置の使用に支障はない。
【図面の簡単な説明】
【００４０】
【図１】自動原稿搬送装置１００の全体構成を示す図である。
【図２】非作動状態における自動原稿搬送装置１００の要部の拡大図である。
【図３】作動状態における自動原稿搬送装置１００の要部の拡大図である。
【図４】分離部９の拡大図である。
【図５】分離部９において、最上段の原稿１ａと直下段の原稿１ｂを分離するときの作用説明図である。
【図６】分離パッド８が摩耗した状態を示す作用説明図である。
【図７】分離パッド８が最大に摩耗した状態を示す作用説明図である。
【図８】分離パッド８を取り付ける状態の作用説明図である。
【符号の説明】
【００４１】
１００  自動原稿搬送装置
１  原稿
１ａ  最上段の原稿
１ｂ  直下段の原稿（それ以外の原稿）
２  原稿テーブル
９  分離部（分離手段）
７  給紙ローラ
８  分離パッド
８ａ  上面（一方側の面）
８ｂ  下面（他方側の面）
１８  パッドホルダ
２３  基準面
２４  圧縮ばね（押圧手段）
２５  回動支点
２６  センサ受光部（分離パッドの他端部）
２７  センサ
ｅ１  初期摩耗量（第１閾値）
ｅ２  最大摩耗量（第２閾値）
Ｌ，Ｌ１，Ｌ２  距離
Ｗ  厚み
【図１】
2010064879.tif 000003
【図２】
2010064879.tif 000004
【図３】
2010064879.tif 000005
【図４】
2010064879.tif 000006
【図５】
2010064879.tif 000007
【図６】
2010064879.tif 000008
【図７】
2010064879.tif 000009
【図８】
2010064879.tif 000010